(57)【要約】【課題】額縁化を図ることができる面状照明装置を提供すること。【解決手段】面状照明装置１は、導光板５と、枠体２と、一対の弾性部材１１Ａを備える。導光板５は、入射される光を導光する。枠体２は、導光板５を収容する。一対の弾性部材１１Ａは、導光板５の幅方向において、導光板５を挟んで導光板５と枠体２との間にそれぞれ配置され、圧縮状態において導光板５と枠体２とに接触する。一対の弾性部材１１Ａは、幅方向において導光板５と枠体２とに接触する第１接触部１１１と、幅方向と交差する交差方向において導光板５と枠体２とに接触する第２接触部１１２とを有する。【選択図】図３
2020057459.tif 000002
【特許請求の範囲】
【請求項１】
入射される光を導光する導光板と、
前記導光板を収容する枠体と、
前記導光板の幅方向において、前記導光板を挟んで前記導光板と前記枠体との間にそれぞれ配置され、圧縮状態において前記導光板と前記枠体とに接触する一対の弾性部材と、
を備え、
前記弾性部材は、
幅方向において前記導光板と前記枠体とに接触する第１接触部と、
前記幅方向と交差する交差方向において前記導光板と前記枠体とに接触する第２接触部と、
を有する
ことを特徴とする面状照明装置。
【請求項２】
前記第２接触部は、前記第１接触部よりも幅方向における外側に位置しており、
前記交差方向は、前記幅方向と、前記幅方向と直交する上下方向との間の方向である
請求項１に記載の面状照明装置。
【請求項３】
前記弾性部材は、前記導光板のうち、前記光が入射される側であり、かつ幅方向の両端部において、前記導光板と接触する、
請求項１または２に記載の面状照明装置。
【請求項４】
前記枠体は、幅方向において前記弾性部材と対向する位置に挿入穴が形成され、
前記弾性部材は、前記第１接触部から幅方向における外側に突出し、かつ前記挿入穴に挿入される挿入突起を有する、
請求項１〜３のいずれか１項に記載の面状照明装置。
【請求項５】
前記導光板に固定されるスペーサと、
前記導光板の出射面側に積層される１以上の中間光学部材と、
前記中間光学部材の積層方向側に積層される最外光学部材と、
各前記光学部材を前記スペーサに固定する固定テープと、
を備え、
各前記光学部材は、積層方向において前記固定テープと対向する位置に固定片が形成されており、
前記固定テープは、積層方向側に凹部が形成されており、
前記中間光学部材の前記固定片は、前記凹部内で前記固定テープと接触し、
前記最外光学部材の前記固定片は、前記固定テープのうち、中間光学部材の前記固定片が前記凹部内で前記固定テープと接触する接触状態において露出する露出領域と接触する、
請求項１〜４のいずれか１項に記載の面状照明装置。
【請求項６】
前記露出領域は、前記固定テープのうち、少なくとも幅方向における中央部に位置する
請求項５に記載の面状照明装置。
【請求項７】
幅方向における中央部に位置する前記露出領域は、前記中間光学部材の前記固定片よりも幅方向における長さが長い、
請求項６に記載の面状照明装置。
【請求項８】
前記中間光学部材の前記固定片は、幅方向において複数形成されており、
前記幅方向における中央部側に位置する前記固定片は、両端部側に位置する前記固定片よりも幅方向における長さが短い、
請求項７に記載の面状照明装置。
【請求項９】
前記導光板に前記光を照射する光源をさらに備え、
前記光学部材の固定片は、前記光源の少なくとも一部と、前記導光板のうち前記光が入射される側とに、積層方向において対向する、
請求項５〜８のいずれか１項に記載の面状照明装置。
【請求項１０】
入射される光を導光する導光板と、
前記導光板に固定されるスペーサと、
前記導光板の出射面側に積層される１以上の中間光学部材と、
前記中間光学部材の積層方向側に積層される最外光学部材と、
各前記光学部材を前記スペーサに固定する固定テープと、
を備え、
各前記光学部材は、積層方向において前記固定テープと対向する位置に固定片が形成されており、
前記固定テープは、積層方向側に凹部が形成されており、
前記中間光学部材の前記固定片は、前記凹部内で前記固定テープと接触し、
前記最外光学部材の前記固定片は、前記固定テープのうち、中間光学部材の前記固定片が前記凹部内で前記固定テープと接触する接触状態において露出する露出領域と接触する、
ことを特徴とする面状照明装置。
【請求項１１】
前記導光板に前記光を照射する光源をさらに備え、
前記光学部材の固定片は、前記光源の少なくとも一部と、前記導光板のうち前記光が入射される側とに、積層方向において対向する、
請求項１０に記載の面状照明装置。
【発明の詳細な説明】
【技術分野】
【０００１】
本発明は、面状照明装置に関する。
【背景技術】
【０００２】
自動車等の車両の表示装置に用いられる車載用バックライトとして面状照明装置がある。面状照明装置は、ＬＥＤなどの光源からの光が入射され、かつ入射される光を導光する導光板と、導光板を収容する枠体とを備えたものがある。導光板および枠体は、一般的に熱膨張係数の異なる材料により構成されている。従って、枠体に対して導光板を固定する場合に、導光板の幅方向および幅方向と直交する上下方向における枠体に対する相対移動を考慮することとなる。そこで、従来では、面状照明装置においては、枠体に対して導光板を固定するために、弾性部材が用いられている（特許文献１参照）。弾性部材は、導光板の幅方向における両側壁と枠体との間、導光板の上下方向における光源側と反対側の側壁と枠体との間に配置される。
【先行技術文献】
【特許文献】
【０００３】
【特許文献１】特開２０１２−１３８３４５号公報
【発明の概要】
【発明が解決しようとする課題】
【０００４】
ところで、近時の車載用バックライトとしての面状照明装置においては、意匠性や表示画面の拡大化、省スペース化の観点から狭額縁化が要求されている。車載用バックライトのように設置するタイプの場合には、固定に要する一辺を除く３辺の狭額縁化が要求される場合もある。
【０００５】
本発明は、上記の事情に鑑みてなされたものであって、狭額縁化を図ることができる面状照明装置を提供することを目的とする。
【課題を解決するための手段】
【０００６】
上記目的を達成するために、本発明における面状照明装置は、入射される光を導光する導光板と、前記導光板を収容する枠体と、前記導光板の幅方向において、前記導光板を挟んで前記導光板と前記枠体との間にそれぞれ配置され、圧縮状態において前記導光板と前記枠体とに接触する一対の弾性部材とを備え、前記弾性部材は、幅方向において前記導光板と前記枠体とに接触する第１接触部と、前記幅方向と交差する交差方向において前記導光板と前記枠体とに接触する第２接触部と、を有することを特徴とする。
【０００７】
また、上記目的を達成するために、本発明における面状照明装置は、入射される光を導光する導光板と、前記導光板に固定されるスペーサと、前記導光板の出射面側に積層される１以上の中間光学部材と、前記中間光学部材の積層方向側に積層される最外光学部材と、各前記光学部材を前記スペーサに固定する固定テープと、を備え、各前記光学部材は、積層方向において前記固定テープと対向する位置に固定片が形成されており、前記固定テープは、積層方向側に凹部が形成されており、前記中間光学部材の前記固定片は、前記凹部内で前記固定テープと接触し、前記最外光学部材の前記固定片は、前記固定テープのうち、中間光学部材の前記固定片が前記凹部内で前記固定テープと接触する接触状態において露出する露出領域と接触する、ことを特徴とする。
【発明の効果】
【０００８】
本発明に係る面状照明装置は、狭額縁化を図ることができる。
【図面の簡単な説明】
【０００９】
【図１】図１は、実施形態における面状照明装置の正面図である。
【図２】図２は、実施形態における面状照明装置の分解斜視図である。
【図３】図３は、実施形態における面状照明装置の要部断面斜視図である。
【図４】図４は、実施形態における面状照明装置の要部断面図である。
【図５】図５は、実施形態における面状照明装置の弾性部材の斜視図である。
【図６】図６は、実施形態における面状照明装置の組立てを説明する斜視図である。
【図７】図７は、実施形態における面状照明装置の組み立てを説明する斜視図である。
【図８】図８は、実施形態における面状照明装置の組み立てを説明する斜視図である。
【図９】図９は、実施形態における面状照明装置の組み立てを説明する斜視図である。
【発明を実施するための形態】
【００１０】
以下に、本発明に係る実施形態を図面に基づいて詳細に説明する。なお、図面における各構成要素の寸法の関係、各要素の比率などは、現実と異なる場合がある。図面の相互間においても、互いの寸法の関係や比率が異なる部分が含まれている場合がある。
【００１１】
〔実施形態〕
実施形態における面状照明装置について説明する。図１は、実施形態における面状照明装置の正面図である。図２は、実施形態における面状照明装置の分解斜視図である。図３は、実施形態における面状照明装置の要部断面斜視図である。図４は、実施形態における面状照明装置の要部断面図である。図５は、実施形態における面状照明装置の弾性部材の斜視図である。なお、図３は、スペーサ６、第１中間光学部材７、第２中間光学部材８、最外光学部材９、およびカバー１０を省略した図である。図４は、図３のＡ−Ａ断面図である。
【００１２】
ここで、各図のＸ方向は、本実施形態における面状照明装置（導光板）の幅方向である。Ｙ方向は、本実施形態における幅方向と直交する方向であり、上下方向である。Ｚ方向は、本実施形態における幅方向および上下方向と直交する厚さ方向である。Ｙ１方向は上方向であり、導光板への光の入射方向、Ｙ２方向は下方向である。Ｚ１方向は積層方向であり、面状照明装置（導光板）の出射方向で、Ｚ２方向は反対方向である。以下の説明で用いる各方向は、特に断りのない限り、各部が相互に組み付けられた状態での方向を表すものとする。
【００１３】
本実施形態における面状照明装置１は、液晶表示装置のバックライトとして用いられるものである。液晶表示装置は、例えば、自動車等の車両に搭載され、主に運転者が視認する表示装置や、スマートフォン等の表示端末装置として用いられる。
【００１４】
面状照明装置１は、図１〜図２に示すように、枠体２と、反射部材３と、光源４と、導光板５と、スペーサ６と、第１中間光学部材７と、第２中間光学部材８と、最外光学部材９と、カバー１０と、一対の弾性部材１１Ａ，１１Ｂと、固定テープ１２と、を備える。本実施形態における面状照明装置１は、厚さ方向から見た場合において、幅方向を長手方向とし、上下方向を短手方向とする長方形状に形成されている。
【００１５】
枠体２は、図２に示すように、導光板５を含む面状照明装置１を構成する構成要素を収容するものである。枠体２は、例えば、アルミニウム、アルミニウム合金などの金属製であり、ダイキャストやプレス加工などで成形される。本実施形態における枠体２は、幅方向を長手方向とする長方形状の底板２１と、底板２１の上下方向における両端部から積層方向に向かって突出し、かつ幅方向に延在する一対の長辺側側壁２２，２３と、底板２１の幅方向における両端部から積層方向に向かって突出し、かつ上下方向に延在する一対の短辺側側壁２４，２５とを有する。枠体２は、底板２１の外周を長辺側側壁２２，２３と、短辺側側壁２４，２５により囲まれることで、内部に収容空間部２ａが形成されている。収容空間部２ａは、積層方向側に形成される開口を介して外部と連通している。本実施形態における枠体２は、反射部材３、光源４、導光板５、スペーサ６、第１中間光学部材７、第２中間光学部材８、最外光学部材９、一対の弾性部材１１Ａ，１１Ｂ、および固定テープ１２を収容空間部２ａに収容する。
【００１６】
枠体２は、図２または３に示すように、短辺側側壁２４，２５の下方向側端部に、切り欠き２ｂ，２ｃがそれぞれ形成されている。切り欠き２ｂ，２ｃは、短辺側側壁２４，２５の幅方向における両壁面を連通するものである。収容空間部２ａは、切り欠き２ｂ，２ｃを介して外部と連通する。短辺側側壁２４，２５は、切り欠き２ｂ，２ｃよりも上方向側に枠体側突出部２６Ａ，２６Ｂがそれぞれ形成されている。ここで、枠体側突出部２６Ａ，２６Ｂは、切り欠き２ｂ，２ｃよりも上方向側で面状照明装置１におけるデッドスペース、すなわち面状照明装置１を厚さ方向から見た場合に、導光板５の後述する出射面５１における有効発光領域Ｒよりも下方向側（光源４側）のエリアに形成されている。枠体側突出部２６Ａ，２６Ｂは、幅方向における内側に向かって突出して形成されている。幅方向における内側とは、面状照明装置１を厚さ方向から見た場合に、幅方向において面状照明装置１の中心に向かう側をいう。枠体側突出部２６Ａ，２６Ｂは、弾性部材１１Ａ，１１Ｂがそれぞれ接触するものであり、図３および図４に示すように、第１内壁面２６１と、第２内壁面２６２と、挿入穴２６３とをそれぞれ有する。第１内壁面２６１は、弾性部材１１Ａ，１１Ｂの後述する第１接触部１１１と接触するものである。第１内壁面２６１は、上下方向に沿った面であり、枠体側突出部２６Ａ，２６Ｂのうち、最も幅方向における内側に形成されている。第２内壁面２６２は、弾性部材１１Ａ，１１Ｂの後述する第２接触部１１２と接触するものである。第２内壁面２６２は、第１内壁面２６１の下方向側端部から幅方向における外側に向かって形成されている。本実施形態における第２内壁面２６２は、幅方向と交差する交差方向を幅方向と、幅方向と直交する上下方向との間の方向とし、第１内壁面２６１の下方向側端部から幅方向における外側に向かう方向に沿った傾斜面である。挿入穴２６３は、弾性部材１１Ａ，１１Ｂの後述する挿入突起１１３が挿入されるものであり、幅方向において弾性部材１１Ａ，１１Ｂとそれぞれ対向する位置に形成されている。本実施形態における挿入穴２６３は、第１内壁面２６１に形成されており、短辺側側壁２４，２５を幅方向において貫通して形成されている。なお、挿入穴２６３は、貫通穴でなくてもよく、有底穴として形成されていてもよい。
【００１７】
反射部材３は、図２に示すように、導光板５の反対方向側に位置し、導光板５と枠体２の底板２１との間に配置される。反射部材３は、導光板５に入射された光のうち、主に、導光板５の厚さ方向における両面のうち、反対方向側の面（後述する出射面５１と反対側の面）から導光板５の外部に漏れた光の一部を反射して、導光板５の内部に戻すものである。本実施形態における反射部材３は、長方形状の底板３１と、底板３１の上方向における端部から積層方向に向かって突出し、かつ幅方向に延在する長辺側側壁３２と、底板２１の幅方向における両端部から積層方向に向かって突出し、かつ上下方向に延在する一対の短辺側側壁３３，３４とを有する。
【００１８】
光源４は、図２に示すように、導光板５に光を入射するものである。本実施形態における光源４は、基板４１と、ＬＥＤ（Light  Emitting  Diode）４２とを有する。
【００１９】
基板４１は、幅方向において延在する帯状に形成されている。基板４１は、例えば、フレキシブルプリント基板であり、上下方向における両面のうち、上方向側の面をＬＥＤ４２が実装される実装面とする。基板４１は、固定部材（固定テープ、接着剤等）により、下方向側の面において枠体２の長辺側側壁２３と固定される。
【００２０】
ＬＥＤ４２は、光を照射するものであり、例えば青色ＬＥＤと蛍光体とならなる擬似白色ＬＥＤ等である。本実施形態におけるＬＥＤ４２は、基板４１に対して幅方向において複数配列して実装されている。ＬＥＤ４２は、１以上であればよく、面状照明装置１の要求される性能に応じて任意の数を基板４１に実装することとなる。ＬＥＤ４２は、図３および図４に示すように、基板４１に実装されることで、発光面４２ａが上方向側、すなわち上下方向において導光板５と対向する側となり、上方向に向かって光を出射する。つまり、光源４は、ＬＥＤ４２のうち、上下方向において発光面４２ａと反対側の面が実装される基板４１に実装されるトップビュー型の光源であるが、これに限定されるものではなく、ＬＥＤ４２のうち、発光面４２ａと直交する面が実装されるサイドビュー型であってもよい。
【００２１】
導光板５は、図２に示すように、光源４から光が入射され、入射される光を導光するものである。導光板５は、例えば透明なポリカーボネートなどの透過性合成樹脂製である。導光板５は、幅方向を長手方向とする長方形状の板状部材であり、出射面５１と、入光面５２と、脚部５３Ａ，５３Ｂと、幅方向側面５４Ａ，５４Ｂと、導光板側突出部５５Ａ，５５Ｂとを有する。ここで、導光板５は、枠体２に収容され、一対の弾性部材１１Ａ，１１Ｂにより固定された固定状態において、枠体２に対して離間している。本実施形態における導光板５は、枠体２に対して幅方向および上方向において隙間が形成されるように、枠体２に対して設計されている。
【００２２】
出射面５１は、厚さ方向における両面のうち、積層方向側の面である。出射面５１は、導光板５が導光した光を出射する平坦面であり、下方向側の面とともに導光板５の主面を構成する。ここで、下方向側の面は、平坦面であってもよいし、複数のドットからなる光路変更パターンが形成されていてもよい。下方向側の面に光路変更パターンが形成される場合は、導光板５の内部を導光される光の進行方向を意図的に変更することができるので、出射面５１からより多くの光を出射することができる。
【００２３】
入光面５２は、図３および図４に示すように、光源４と対向する面であり、光源４からの光が入射される面である。入光面５２は、導光板５の上下方向における両面のうち、下方向側の面であり、各ＬＥＤ４２の発光面４２ａと対向する面である。
【００２４】
脚部５３Ａ，５３Ｂは、上下方向における入光面５２と発光面４２ａとの間隔を調整するものである。脚部５３Ａ，５３Ｂは、入光面５２の幅方向における両端部にそれぞれ形成されており、下方向に向かって突出して形成されている。つまり、各ＬＥＤ４２は、脚部５３Ａ，５３Ｂの間において、入光面５２と上下方向において対向する。脚部５３Ａ，５３Ｂは、導光板５が枠体２に収容された状態で、下方向において基板４１と接触することで、長辺側側壁２３に対する導光板５の下方向への移動を規制する。なお、脚部５３Ａ，５３Ｂは、基板４１と接触せず、長辺側側壁２３に直接接触していてもよい。つまり、導光板５は、脚部５３Ａ，５３Ｂにより枠体２と接触しているのみであり、脚部５３Ａ，５３Ｂを除く他の部分は、枠体２とは接触していない、すなわち枠体２に対して離間している。
【００２５】
幅方向側面５４Ａ，５４Ｂは、上下方向に沿った面であり、導光板５の外周面のうち、幅方向における両外周面である。幅方向側面５４Ａ，５４Ｂは、弾性部材１１Ａ，１１Ｂの第１接触部１１１と接触するものである。
【００２６】
導光板側突出部５５Ａ，５５Ｂは、幅方向側面５４Ａ，５４Ｂの下方向側端部に形成され、幅方向における外側に向かって突出して形成されている。幅方向における外側とは、面状照明装置１を厚さ方向から見た場合に、幅方向において面状照明装置１の外部に向かう側という。導光板側突出部５５Ａ，５５Ｂは、弾性部材１１Ａ，１１Ｂがそれぞれ接触するものであり、第１外周面５５１をそれぞれ有する。第１外周面５５１は、弾性部材１１Ａ，１１Ｂの第２接触部１１２と接触するものである。第１外周面５５１は、幅方向側面５４Ａ，５４Ｂの下方向側端部から幅方向における外側に向かってそれぞれ形成されている。本実施形態における第１外周面５５１は、幅方向と交差する交差方向を幅方向と、幅方向と直交する上下方向との間の方向とし、幅方向側面５４Ａ，５４Ｂの下方向側端部から幅方向における外側に向かう方向に沿った傾斜面である。
【００２７】
スペーサ６は、図２および図３に示すように、出射方向側において光源４と導光板５とにまたがって配置される。スペーサ６は、例えば、白い樹脂プレートなどの反射機能を有する合成樹脂製である。スペーサ６は、幅方向を長手方向とする帯状の板状部材であり、厚さ方向から見た場合に、少なくとも発光面４２ａおよび入光面５２を覆うものである。スペーサ６は、厚さ方向における両面のうち、反対方向側の面が固定部材（固定テープ、接着剤等）により、例えば、導光板５の下方向側端部や隣り合うＬＥＤ４２間の前方部分に固定される。スペーサ６は、発光面４２ａと入光面５２との間から漏れた光が面状照明装置１の外部に出射されることを抑制することができるとともに、反射機能により漏れた光を入光面５２に導くことができる。
【００２８】
第１中間光学部材７は、図２に示すように、中間光学部材を構成するものであり、導光板５から出射される光を制御するものである。第１中間光学部材７は、光学部材として、例えば、拡散シートであり、出射面５１から出射される光を拡散させるものである。第１中間光学部材７は、導光板５の出射面５１側、すなわち積層方向側に積層される。つまり、第１中間光学部材７は、複数の光学部材のうち最内、すなわち最も出射面５１側の光学部材である。第１中間光学部材７は、本体部７１と、複数の固定片７２，７３と有する。本体部７１は、シート状であり、厚さ方向のうち、反対向側の面に入射された光を積層方向側の面から出射するものである。固定片７２，７３は、スペーサ６を介して第１中間光学部材７を導光板５に固定するものである。固定片７２，７３は、本体部７１の下方向側端部から下方向側に向かって突出して形成され、かつ積層方向においてスペーサ６と対向する位置に形成されている。本実施形態における固定片７２、７３は、幅方向において間隔をあけて配列されており、幅方向における中央部および両端部には形成されていない。固定片７２は、幅方向における中央部側に一対形成されており、固定テープ１２の後述する第１凹部１２１内において固定テープ１２と接触する。固定片７３は、幅方向における両端部側、すなわち固定片７２よりも幅方向における外側に複数形成されており、固定テープ１２の後述する第３凹部１２３内において固定テープ１２と接触する。ここで、固定片７２は、固定片７３よりも幅方向における長さが短い。つまり、第１中間光学部材７は、固定片７２、７３が設けられていない幅方向における中央部の幅方向における長さを長くすることができる。
【００２９】
第２中間光学部材８は、図２に示すように、中間光学部材を構成するものであり、導光板５から出射される光を制御するものである。第２中間光学部材８は、光学部材として、例えば、プリズムシートであり、第１中間光学部材７から出射される光の配光制御を行うものである。第２中間光学部材８は、第１中間光学部材７の積層方向側に積層される。つまり、第２中間光学部材８は、複数の光学部材のうち真ん中、すなわち厚さ方向において２つの光学部材に挟まれる光学部材である。第２中間光学部材８は、本体部８１と、複数の固定片８２，８３と有する。本体部８１は、シート状であり、厚さ方向のうち、反対向側の面に入射された光を積層方向側の面から出射するものである。固定片８２，８３は、スペーサ６を介して第２中間光学部材８を導光板５に固定するものである。固定片８２，８３は、本体部８１の下方向側端部から下方向側に向かって突出して形成され、かつ積層方向においてスペーサ６と対向する位置に形成されている。また、固定片８２，８３は、積層方向において、固定片７２，７３と重ならない位置に形成されている。本実施形態における固定片８２、８３は、幅方向において間隔をあけて配列されており、幅方向における中央部および両端部には形成されていない。固定片８２は、幅方向における中央部側に一対形成されており、固定テープ１２の後述する第２凹部１２２内において固定テープ１２と接触する。固定片８３は、幅方向における両端部側、すなわち固定片８２よりも幅方向における外側に複数形成されており、固定テープ１２の後述する第４凹部１２４内において固定テープ１２と接触する。ここで、固定片８２は、固定片８３よりも幅方向における長さが短い。つまり、第２中間光学部材８は、固定片８２、８３が設けられていない幅方向における中央部の幅方向における長さを長くすることができる。
【００３０】
最外光学部材９は、図２に示すように、導光板５から出射される光を制御するものである。最外光学部材９は、光学部材として、例えば、ＤＢＥＦ（Dual  Brightness  Enhancement  Film）であり、第２中間光学部材８から出射される光の強度を増加するものである。最外光学部材９は、第２中間光学部材８の積層方向側に積層される。つまり、最外光学部材９は、複数の光学部材のうち最外、すなわち最も出射面５１側と反対側（積層方向側）の光学部材である。最外光学部材９は、本体部９１と、固定片９２と有する。本体部９１は、シート状であり、厚さ方向のうち、反対向側の面に入射された光を積層方向側の面から出射するものである。固定片９２は、スペーサ６を介して最外光学部材９を導光板５に固定するものである。固定片９２は、本体部９１の下方向側端部から下方向側に向かって突出して形成され、かつ積層方向においてスペーサ６と対向する位置に形成されている。また、固定片９２は、幅方向に延在して形成されており、幅方向における中央部、両端部まで位置して形成されている。固定片９２は、積層方向において、固定片７２，７３，８２，８３と重なる位置に形成されている。本実施形態における固定片９２は、積層方向において固定テープ１２の後述する露出領域１２５，１２６と対向し、露出領域１２５，１２６と接触する。ここで、本実施形態における光学部材７〜９の熱膨張係数は、拡散シートである第１中間光学部材７とプリズムシートである第２中間光学部材８とが同じまたはほぼ同じで、中間光学部材７，８に対して最外光学部材９であるＤＢＥＦが大きい。また、本実施形態における光学部材７〜９の質量は、拡散シートである第１中間光学部材７、プリズムシートである第２中間光学部材８、ＤＢＥＦである最外光学部材９の順で重い。
【００３１】
カバー１０は、図２に示すように、面状照明装置１の蓋であり、枠体２を構成要素が収容された状態で覆うものである。カバー１０は、開口部１０ａが形成されており、開口部１０ａを介して最外光学部材９を外部に露出させるものである。ここで、開口部１０ａは、最外光学部材９の積層方向側の面のうち導光板５からの光を出射する領域よりも狭く形成されている。つまり、カバー１０は、面状照明装置１の発光領域を規定するものである。
【００３２】
弾性部材１１Ａ，１１Ｂは、枠体２に対して導光板５を固定するものである。弾性部材１１Ａ，１１Ｂは、導光板５を挟んで、導光板５と枠体２との間にそれぞれ配置されている。弾性部材１１Ａ，１１Ｂは、弾性圧縮された状態、すなわち圧縮状態において、導光板５と枠体２とに接触する。弾性部材１１Ａ，１１Ｂは、例えばゴム製、弾性を有する合成樹脂製であり、弾性圧縮、弾性復帰が可能なものである。弾性部材１１Ａ，１１Ｂは、図５に示すように、第１接触部１１１と、第２接触部１１２と、挿入突起１１３とを有する。
【００３３】
第１接触部１１１は、幅方向において導光板５と枠体２とに接触するものである。第１接触部１１１は、上下方向に延在して形成されている。第１接触部１１１は、幅方向における両側面のうち、一方の側面である第１枠体側側面１１４が第１内壁面２６１と接触し、他方の側面である第１導光板側側面１１５が弾性部材１１Ａの場合に幅方向側面５４Ａ、弾性部材１１Ｂの場合に幅方向側面５４Ｂと接触する。
【００３４】
第２接触部１１２は、交差方向において導光板５と枠体２とに接触するものである。第２接触部１１２は、第１接触部１１１よりも幅方向における外側に位置しており、かつ交差方向に延在して形成されている。第２接触部１１２は、交差方向と直交する方向の両側面のうち、一方の側面である第２枠体側側面１１６が第２内壁面２６２と接触し、他方の側面である第２導光板側側面１１７が第１外周面５５１と接触する。
【００３５】
挿入突起１１３は、挿入穴２６３に挿入されるものである。挿入突起１１３は、第１接触部１１１から幅方向における外側に突出して形成されている。本実施形態における挿入突起１１３は、第１枠体側側面１１４より枠体２に向かって突出して形成されている。なお、挿入突起１１３は、第１接触部１１２に設けてもよい。
【００３６】
固定テープ１２は、図２および図６に示すように、各光学部材７〜９をスペーサ６に固定するものである。固定テープ１２は、幅方向において延在する帯状に形成されており、厚さ方向のうち、積層方向側において各光学部材７〜９と接触し、反対方向側においてスペーサ６と接触する。固定テープ１２は、複数の凹部１２１〜１２４と、複数の露出領域１２５，１２６とを有する。
【００３７】
各凹部１２１〜１２４は、固定テープ１２の厚さ方向における両面のうち、積層方向側の面から反対方向側に向かって凹んで形成されている。各第１凹部１２１は、固定片７２にそれぞれ対応するものであり、各第２凹部１２２の内側にそれぞれ形成されている。第１凹部１２１は、幅方向において露出領域１２５を挟んで形成されており、第２凹部１２２よりも反対方向側に向かって凹んで形成されている。ここで、第１凹部１２１は、固定片７２が接触した状態において、固定片７２の積層方向側の面が第１凹部１２１よりも積層方向側に突出しないように形成されている。各第２凹部１２２は、固定片８２にそれぞれ対応するものであり、幅方向において隣り合う露出領域１２５，１２６の間にそれぞれ形成されている。ここで、第２凹部１２２は、固定片８２が接触した状態において、固定片８２の積層方向側の面が第２凹部１２２よりも積層方向側に突出しない、つまり固定テープ１２の積層方向側の面から積層方向に突出しないように形成されている。各第３凹部１２３は、固定片７３にそれぞれ対応するものであり、各第４凹部１２４の内側にそれぞれ形成されている。第３凹部１２３は、幅方向において隣り合う露出領域１２６、１２６の間にそれぞれ形成されており、第４凹部１２４よりも反対方向側に向かって凹んで形成されている。ここで、第３凹部１２３は、固定片７３が接触した状態において、固定片７３の積層方向側の面が第３凹部１２３よりも積層方向側に突出しないように形成されている。各第４凹部１２４は、固定片８３にそれぞれ対応するものであり、幅方向において隣り合う露出領域１２６，１２６の間にそれぞれ形成されている。ここで、第４凹部１２４は、固定片８３が接触した状態において、固定片８３の積層方向側の面が第４凹部１２４よりも積層方向側に突出しない、つまり固定テープ１２の積層方向側の面から積層方向に突出しないように形成されている。
【００３８】
各露出領域１２５，１２６は、中間光学部材７，８の固定片７２，７３，８２，８３が凹部１２１〜１２４内で固定テープ１２と接触する接触状態において露出する領域である。露出領域１２５は、固定テープ１２の幅方向における中央部に位置する。露出領域１２５は、中間光学部材７，８の固定片７２，７３，８２，８３および露出領域１２６よりも幅方向における長さが長く形成されている。つまり、露出領域１２５は、幅方向における長さが最も長く形成されている。露出領域１２６は、固定テープ１２の幅方向における両端部側に位置、すなわち中央部を除いて位置する。露出領域１２６は、幅方向において間隔をあけて位置している。本実施形態における露出領域１２６は、固定テープ１２の両端部にもそれぞれ位置する。本実施形態における固定テープ１２は、両面テープであり、積層方向に積層することで、各凹部１２１〜１２４に対応する３層構造に形成されているが、１層構造であってもよい。また、固定テープ１２は、各光学部材７〜９の熱膨張係数および質量に応じて、各凹部１２１〜１２４および各露出領域１２５，１２６の幅方向における長さ、ピッチなどを最適に調整することができる。
【００３９】
次に、本実施形態における面状照明装置１の組み立てについて説明する。まず、作業員または組み立て機械などの作業員等は、図２に示すように、枠体２に対して反射部材３を収容する。次に、作業員等は、枠体２に対して光源４を収容する。作業員等は、基板４１の下方向側の面に予め固定部材を接触させることで取り付けておき、固定部材を枠体２の長辺側側壁２３に接触することで、枠体２に対して光源を固定する。
【００４０】
次に、作業員等は、枠体２に対して弾性部材１１Ａ，１１Ｂを収容する。作業員等は、弾性部材１１Ａ，１１Ｂの挿入突起１１３を挿入穴２６３にそれぞれ挿入する。弾性部材１１Ａ，１１Ｂは、幅方向において枠体２とそれぞれ対向する。次に、作業員等は、枠体２に対して導光板５を収容する。作業員等は、出射面５１が積層方向側となるように、枠体２に対して導光板５を厚さ方向において対向させる。そして、弾性部材１１Ａ，１１Ｂを弾性圧縮させた状態で、導光板５を幅方向において弾性部材１１Ａ，１１Ｂとそれぞれ対向させる。このとき、第１枠体側側面１１４が第１内壁面２６１と接触し、第１導光板側側面１１５が幅方向側面５４Ａ，５４Ｂとそれぞれ接触し、第２枠体側側面１１６が第２内壁面２６２と接触し、第２導光板側側面１１７が第１外周面５５１と接触することで、弾性部材１１Ａ，１１Ｂが弾性圧縮された状態で、第１接触部１１１が幅方向において導光板５と枠体２とに接触し、第２接触部１１２が交差方向において導光板５と枠体２とに接触する。これにより、導光板５は、幅方向および上下方向において枠体２に対して相対移動を規制された状態で固定される。
【００４１】
次に、作業員等は、導光板５に対してスペーサ６を固定する。作業員等は、スペーサ６の反対方向側の面に予め固定部材を接触させることで取り付けておき、固定部材を導光板５の出射面５１に接触することで、導光板５に対してスペーサ６を固定する。次に、作業員等は、図６に示すように、スペーサ６に対して固定テープ１２を取り付ける。作業員等は、スペーサ６の積層方向側の面に、固定テープ１２を接触させる、すなわち両面テープを各凹部１２１〜１２４が形成されるように積層する。なお、スペーサ６に対する固定テープ１２の取り付けは、スペーサ６を導光板５に対して固定する前に予め行われていてもよい。
【００４２】
次に、作業員等は、枠体２に対して第１中間光学部材７を収容する。作業員等は、厚さ方向において、固定片７２が第１凹部１２１と、固定片７３が第２凹部１２２と厚さ方向において対向するように、導光板５に対して第１中間光学部材７を厚さ方向において対向させる。そして、作業員等は、固定片７２および固定片７３を第１凹部１２１内および第２凹部１２２内において固定テープ１２とそれぞれ接触させることで、図７に示すように、第１中間光学部材７を導光板５に対して固定する。次に、作業員等は、枠体２に対して第２中間光学部材８を収容する。作業員等は、厚さ方向において、固定片８２が第３凹部１２３と、固定片８３が第４凹部１２４と厚さ方向において対向するように、導光板５に対して第２中間光学部材８を厚さ方向において対向させる。そして、作業員等は、固定片８２および固定片８３を第３凹部１２３内および第４凹部１２４内において固定テープ１２とそれぞれ接触させることで、図８に示すように、第２中間光学部材８を導光板５に対して固定する。次に、作業員等は、枠体２に対して最外光学部材９を収容する。作業員等は、厚さ方向において、固定片９２が露出領域１２５，１２６と厚さ方向において対向するように、導光板５に対して最外光学部材９を厚さ方向において対向させる。そして、作業員等は、固定片９２を露出領域１２５，１２６とそれぞれ接触させることで、図９に示すように、最外光学部材９を導光板５に対して固定する。
【００４３】
次に、作業員等は、枠体２に対してカバー１０を固定する。作用員等は、枠体２の外周面に形成される係止爪をカバー１０の外周面に形成される係止孔に挿入することで、枠体２に対してカバー１０を係止する。これにより、本実施形態における面状照明装置１の組み立てを完了する。
【００４４】
以上のように、本実施形態における面状照明装置１は、弾性圧縮状態の一対の弾性部材１１Ａ，１１Ｂにより、幅方向における内側に向けて押圧し、下方向、すなわち入光面５２側（導光板５のうち光が入射される側）に向けて押圧することで、導光板５を枠体２に対して幅方向および上方向において離間した状態で固定することができる。従って、導光板５を枠体２に対してセンターに配置、すなわち導光板５および枠体２の幅方向における中心を一致、あるいは近接することができる。これにより、導光板５と枠体２との隙間を小さくかつ左右均等にすることで、狭額縁化を図ることができる。
【００４５】
また、本実施形態における面状照明装置１は、導光板５の下方向側端部、かつ幅方向における両端部、すなわち入光面５２の幅方向における両端部は、本来的に光学特性が不均一であり発光領域から外れた領域であることから、一対の弾性部材１１Ａ，１１Ｂを配置したことによる光学的な影響が少なく、額縁幅が広がることがない。また、入光面５２側の辺を除く３辺においては、枠体２に対して導光板５を固定することを回避できるので、入光面５２側の辺を除く３辺における狭額縁化を図ることができる。また、本実施形態における面状照明装置１は、枠体２に対する導光板５の幅方向および上下方向における相対移動を一対の弾性部材１１Ａ，１１Ｂにより規制することができるので、面状照明装置１における部品点数の削減を行うことができる。また、面状照明装置１の組み立てが容易となり、組み立て作業性を向上することができる。
【００４６】
また、本実施形態における面状照明装置１は、一対の弾性部材１１Ａ，１１Ｂにおける第２接触部１１２の延在方向である交差方向は、幅方向と、上下方向との間の方向である。従って、一対の弾性部材１１Ａ，１１Ｂは、厚さ方向から見た場合に、第１接触部１１１と第２接触部１１２とが直角に屈曲していない。つまり、導光板５の幅方向側面５４Ａ，５４Ｂと第１外周面５５１とが直角に屈曲しないこととなる。導光板５において直角に屈曲している部分は、成形性（型抜き）が悪く、また、内部の光が外部に漏れやすい。従って、一対の弾性部材１１Ａ，１１Ｂにより導光板５が枠体２に固定されることで、導光板５に対して光学的な影響を少なくすることができる。なお、本発明において、導光板５を枠体２に固定するという観点では、第１接触部１１１と第２接触部１１２とを直角に屈曲させてもよい。
【００４７】
また、本実施形態における面状照明装置１は、挿入突起１１３が挿入穴２６３に挿入されることで、一対の弾性部材１１Ａ，１１Ｂが枠体２に対して厚さ方向に相対移動することが規制される。従って、面状照明装置１の組み立て時において、導光板５を枠体２に対して収容する際に、一対の弾性部材１１Ａ，１１Ｂが枠体２に対して厚さ方向にずれることを抑制することができる。これにより、導光板５を枠体２に対して収容することができるので、面状照明装置１の組み立てが容易となり、組み立て作業性を向上することができる。また、温度変化等により導光板５の膨張収縮が繰り返されても、一対の弾性部材１１Ａ，１１Ｂが枠体２に対して厚さ方向に相対移動することが規制される。
【００４８】
また、本実施形態における面状照明装置１は、固定テープ１２に対して、中間光学部材７，８が各凹部１２１〜１２４内において接触し、最外光学部材９が各露出領域１２５，１２６と接触し、固定テープ１２は、導光板５に固定されているスペーサ６に取り付けられている。従って、すべての光学部材７〜９は、反射機能を有するスペーサ６を介して導光板５に固定される。これにより、すべての光学部材７〜９を導光板５に直接固定するために、固定テープ１２を導光板５に直接取り付けられている場合と比較して、漏れた光を戻すことができるので、面状照明装置１の輝度の低減を抑制することができる。また、面状照明装置１のうち、入光面５２側の辺において、一対の弾性部材１１Ａ，１１Ｂおよび固定テープ１２による導光板５に対する光学部材７〜９の固定構造を集約するので、入光面５２側の辺を除く３辺における狭額縁化を図ることができる。また、光学部材７〜９の固定構造を、元々デッドスペースである光源４の積層方向側の領域にまたがって設けることにより（デッドスペースを固定代として有効活用することにより）、入光面５２側の辺の狭額縁化も促進することができる。
【００４９】
また、本実施形態における面状照明装置１は、最外光学部材９が幅方向における中央部に位置する露出領域１２５と接触し、導光板５に対して固定されているので、最外光学部材９が幅方向における中央部を基準に膨張・収縮することとなる。従って、導光板５および中間光学部材７、８に対して最外光学部材９の熱膨張係数が大きく、導光板５および中間光学部材７、８に対して最外光学部材９の幅方向における膨張・収縮が大きくても、膨張・収縮の影響が少ない幅方向における中央部に位置する露出領域１２５での固定テープ１２の追従性は高くなる。従って、最外光学部材９の膨張・収縮により、固定テープ１２が導光板５および光学部材７〜９から剥がれることを抑制することができ、光学部材７〜９に膨張・収縮によるしわの発生を抑制することができる。
【００５０】
また、本実施形態における面状照明装置１は、幅方向における中央部に位置する露出領域１２５が中間光学部材７，８の固定片７２，７３，８２，８３よりも幅方向における長さが長いことで、露出領域１２５の幅方向における長さが最も長く形成することができる。また、本実施形態における面状照明装置１は、幅方向における中央部側に位置する固定片７２，８２は、両端部側に位置する固定片７３，８３よりも幅方向における長さが短いので、結果として、幅方向における中央部に位置する露出領域１２５の幅方向における長さが最も長く形成することができる。従って、最外光学部材９の質量が大きくても、確実に導光板５に対して固定することができる。また、必要に応じて、露出領域１２５の両端部側（幅方向の外側）に配置され露出領域１２５よりも幅が短い露出領域１２６においても最外光学部材９を固定することにより、しわの発生を抑制した状態で、最外光学部材９のスペーサ６（導光板５）に対する固定強度を補うとともに、平面内の（Ｚ軸を回転軸とする）回転変位を抑制することができる。
【００５１】
なお、本実施形態における面状照明装置１は、交差方向を幅方向と、上下方向との間の方向としたが、これに限定されるものではなく、上下方向であってもよい。また、弾性部材１１Ａ,１１Ｂは、例えば、第２接触部が湾曲する部分を有する形状であってもよい。
【００５２】
また、本実施形態における面状照明装置１は、中間光学部材７，８を２つの光学部材で構成したが１つの光学部材であってもよい。
【００５３】
また、上記実施形態により発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記実施形態に限定されるものではなく、様々な変更が可能である。
【符号の説明】
【００５４】
１  面状照明装置、２  枠体、２６３  挿入穴、３  反射部材、４  光源、５  導光板、５１  出射面、６  スペーサ、７  第１中間光学部材、７２，７３  固定片、８  第２中間光学部材、８２，８３  固定片、９  最外光学部材、９２  固定片、１０  カバー、１１Ａ，１１Ｂ  弾性部材、１１１  第１接触部、１１２  第２接触部、１１３  挿入突起  １２  固定テープ、１２１，１２２，１２３，１２４  凹部、１２５，１２６  露出領域
【図１】
2020057459.tif 000003
【図２】
2020057459.tif 000004
【図３】
2020057459.tif 000005
【図４】
2020057459.tif 000006
【図５】
2020057459.tif 000007
【図６】
2020057459.tif 000008
【図７】
2020057459.tif 000009
【図８】
2020057459.tif 000010
【図９】
2020057459.tif 000011